(57)【要約】【課題】  取り付けが容易な延長用アタッチメントを用いて腰をかがめて作業する必要のない電動結束機を提供する。【解決手段】  アタッチメント付き電動結束機１は、延長用アタッチメント３と、手持ち電動結束機５とから構成されている。握り部１１の背面側に、スイッチ操作部１３の操作によるスイッチ部１５からの動作信号ではなく外部から入力される動作信号を受信して、電動駆動部に動作信号を与える外部信号入力端子２５を備えている。【選択図】  図１
2017189822.tif 000002
【特許請求の範囲】
【請求項１】
握り部と、スイッチ操作部を備えたスイッチ部と、前記スイッチ部からの動作信号の入力により動作する電動駆動部を備えた工具本体部とを備え、作業者が前記握り部を手で握った状態で前記スイッチ部を操作する手持ち電動工具であって、
前記スイッチ操作部の操作による前記スイッチ部からの前記動作信号ではなく外部から入力される動作信号を受信して前記電動駆動部に前記動作信号を与える外部信号入力端子を備えていることを特徴とする手持ち電動工具。
【請求項２】
請求項１の前記手持ち電動工具を外側から挟むように保持する結束機保持構造部と、一端に前記結束機保持構造部が設けられた所定の長さを有する延長構造部と、前記延長構造部に設けられた追加握り部と、前記追加握り部を前記作業者が握った状態で操作できる追加スイッチ操作部を備えた追加スイッチ部と、一端が前記追加スイッチ部に電気的に接続され他端に前記外部信号入力端子に接続されるコネクタを備えたケーブルハーネスとを備えてなる延長用アタッチメント。
【請求項３】
握り部と、スイッチ操作部を備えたスイッチ部と、前記スイッチ部からの動作信号の入力により動作する電動駆動部を備えた結束機本体部と、前記スイッチ操作部の操作による前記スイッチ部からの前記動作信号ではなく外部から入力される動作信号を受信して前記電動駆動部に前記動作信号を与える外部信号入力端子を備えて、作業者が前記握り部を手で握った状態で前記スイッチ部を操作する手持ち電動結束機と、
前記手持ち電動結束機を外側から挟むように保持する結束機保持構造部と、一端に前記結束機保持構造部が設けられた所定の長さを有する延長構造部と、前記延長構造部に設けられた追加握り部と、前記追加握り部を前記作業者が握った状態で操作できる追加スイッチ操作部を備えた追加スイッチ部と、一端が前記追加スイッチ部に電気的に接続され他端に前記外部信号入力端子に接続されるコネクタを備えたケーブルハーネスとを備えてなる延長用アタッチメントとを備えてなるアタッチメント付き電動結束機。
【請求項４】
前記結束機保持構造部は、前記外部信号入力端子への前記コネクタの装着を阻害することなく、前記手持ち電動結束機の前記握り部の一部と前記結束機本体部の一部を間に挟むように配置される一対の板状部と、前記板状部の一端が固定され且つ前記延長構造部の前記一端が連結される固定部と、手動または手動工具により締め付け可能な１以上の締め付け具により構成されて前記一対の板状部を互いに近づける方向の力を前記一対の板状部に加える締め付け構造とを備えている請求項３に記載のアタッチメント付き電動結束機。
【請求項５】
前記延長構造部は、前記所定の長さを手動で調節することを可能にする手動長さ調節機構を備えている請求項３または４に記載のアタッチメント付き電動結束機。
【請求項６】
前記延長構造部は、作業者が片手で握ることができる補助握り部を備えている請求項５に記載のアタッチメント付き電動結束機。
【請求項７】
前記延長構造部はパイプ部から構成され、
前記ケーブルハーネスの主要部が前記パイプ部内に収納されている請求項３に記載のアタッチメント付き電動結束機。
【請求項８】
前記延長構造部は前記結束機保持構造部が一端に設けられた第１の分割パイプ部と、前記第１の分割パイプ部の他端に対してスライド構造を介して結合されて前記第１の分割パイプ部に沿って位置を変えることができる第２の分割パイプ部とからなり、
前記ケーブルハーネスの主要部が前記第１の分割パイプ部及び第２の分割パイプ部内に収納されている請求項３に記載のアタッチメント付き電動結束機。
【請求項９】
前記スライド構造は、前記第１の分割パイプ部を中心にして前記第２の分割パイプ部を所定の角度範囲内で手動で回すことを許容する機能と、前記第１の分割パイプ部に対して前記第２の分割パイプ部を手動で固定する固定機能とを有している請求項８に記載のアタッチメント付き電動結束機。
【請求項１０】
前記第２の分割パイプ部には、作業者が片手で握ることができる補助握り部が、前記第２の分割パイプ部を中心にして所定の角度範囲内で回動可能に固定されている請求項９に記載のアタッチメント付き電動結束機。
【請求項１１】
補助握り部を設けた補助延長構造部をさらに備え、
前記補助延長構造部の一端は、前記延長構造部の前記結束機保持構造部側の一端と連結機構を介して連結され、前記連結機構は前記補助延長構造部が前記延長構造部から離れることを可能にする請求項３に記載のアタッチメント付き電動結束機。
【請求項１２】
前記追加握り部は、前記延長構造部に沿ってスライド可能に設けられ、さらに前記延長構造部を中心にして所定の角度範囲内で回動可能に固定されており、
前記補助握り部は、前記補助延長構造部に沿ってスライド可能に設けられ、さらに前記補助延長構造部を中心にして所定の角度範囲内で回動可能に固定されている請求項１１に記載のアタッチメント付き電動結束機。
【請求項１３】
前記手持ち電動結束機は、前記スイッチ操作部を囲む操作部ガードを備えており、
前記１以上の締め付け具は、前記一対の板状部の一方の板状部に設けられた貫通孔を貫通し、前記操作部ガード内に形成された空間を貫通し、前記一対の板状部の他方の板状部に設けられた貫通孔を貫通するネジまたはボルトと、前記他方の板状部を貫通した前記ネジまたはボルトのネジ部に螺合されるナットとからなる請求項４に記載のアタッチメント付き電動結束機。
【請求項１４】
前記手持ち電動結束機は、前記スイッチ操作部を囲む操作部ガードを備えており、
前記一対の板状部の前記一方の板状部は、前記延長構造部に固定された第１の分割板状部と前記第１の分割板状部に対してヒンジ機構を介して連結された第２の分割板状部とから構成され、前記ヒンジ機構は前記第２の分割板状部が前記操作部ガードから離れることを可能にする請求項４に記載のアタッチメント付き電動結束機。
【請求項１５】
前記一対の板状部のそれぞれの先端部は、連結と解除を手動で行うことができる留め具により連結される請求項１４に記載のアタッチメント付き電動結束機。
【請求項１６】
前記留め具はスナップ錠から構成される請求項１５に記載のアタッチメント付き電動結束機。
【請求項１７】
前記結束機保持構造部は、前記外部信号入力端子への前記コネクタの装着を阻害することなく、前記手持ち電動結束機の前記握り部の一部と前記結束機本体部の一部を間に挟むように配置されるアルミニューム製の一対の板状部と、前記板状部の一端が固定され且つ前記延長構造部の前記一端が連結される固定部と、手動または手動工具により締め付け可能な１以上のネジまたは締め付け具により構成されて前記一対の板状部を互いに近づける方向の力を前記一対の板状部に加える締め付け構造とを備えており、
前記延長構造部はアルミニューム製のパイプ部から構成され、
前記ケーブルハーネスの主要部が前記パイプ部内に収納され、且つ前記ケーブルハーネスの前記コネクタが設けられた部分は、前記コネクタが前記外部信号入力端子に接続された状態で湾曲する長さを有している請求項３に記載のアタッチメント付き電動結束機。
【発明の詳細な説明】
【技術分野】
【０００１】
本発明は、手持ち電動工具とその延長用アタッチメント及びアタッチメント付き電動結束機に関するものである。
【背景技術】
【０００２】
鉄筋コンクリート構造物の築造工事等における鉄筋の結束作業においては、ワイヤ等の金属線材を用いて鉄筋の結束が行われる。従来、このようなことは、全て、作業者が手作業で行うようにしていた。そのため、作業効率が低く、鉄筋組立作業等の結束が必要な工事の遅延により、工事全体が遅れるということが多かった。また、結束作業は、そのほとんどが手先を使い、かつ、腰をかがめた姿勢での作業であるため、作業者が苦痛を感じることが多かった。
【０００３】
そこで、自動で結束を行う電動結束機（手持ち電動工具）が開発されている。特開平８‐２７７６３２号公報（特許文献１）には、握り部と、スイッチ操作部を備えたスイッチ部と、スイッチ部からの動作信号の入力により動作する電動駆動部を備えた結束機本体部とを備え、作業者が握り部を手で握った状態でスイッチ部を操作する手持ち電動結束機が開示されている。この電動結束機は、結束機本体にワイヤを鉄筋に結束させる巻回機構と、ワイヤを巻回機構に送り込む送り込み装置を備えている。作業者は、結束作業をする際、この電動結束機の握り部を把持して、巻回機構を鉄筋に近づけて、電動結束機を動作させることによって作業を進める。
【０００４】
しかしながら、特許文献１に示された電動結束機では、手作業より作業効率が高くなっても、巻回機構を地面に置かれた鉄筋に近づける必要があるため、腰をかがめた姿勢での作業を余儀なくされる。また、腰をかがめた姿勢で作業をしなくても良いように、握り部の位置や大きさを工夫した電動結束機も提案されている（特許文献２）。
【先行技術文献】
【特許文献】
【０００５】
【特許文献１】特開平８−２７７６３２号公報
【特許文献２】特表平２−５０１３２１号公報
【発明の概要】
【発明が解決しようとする課題】
【０００６】
しかしながら実際には、結束位置に近づいて作業をしなければならないような状況も発生するため、握り部の位置や大きさを変えてしまうと、かえって作業効率が低下する場面も想定される。電動結束機以外の手持ち電動工具でも同様の問題がある。
【０００７】
本発明の目的は、腰をかがめた姿勢で作業をすることができるだけでなく、腰をかがめることなく作業をすることができる手持ち電動工具を提供することにある。
【０００８】
また、本発明の他の目的は、手持ち電動工具に対して取り付けが容易な延長用アタッチメントを提供することにある。
【０００９】
また、本発明の更なる他の目的は、延長用アタッチメントの装着が容易なアタッチメント付き電動結束機を提供することにある。
【課題を解決するための手段】
【００１０】
本発明は、握り部と、スイッチ操作部を備えたスイッチ部と、スイッチ部からの動作信号の入力により動作する電動駆動部を備えた結束機本体部とを備え、作業者が握り部を手で握った状態でスイッチ部を操作する手持ち電動結束機を改良の対象とする。本発明の手持ち電動結束機は、スイッチ操作部の操作によるスイッチ部からの動作信号ではなく外部から入力される動作信号を受信して、電動駆動部に動作信号を与える外部信号入力端子を備えている。このような外部信号入力端子を備えることにより、電動結束機を使用する場所の状況に応じて、手持ち電動結束機単独で使用する使用態様と、延長用アタッチメントを装着して使用する使用態様を選択することができる。そのため１台の電動結束機を状況に応じて複数の使用態様で使用することができる。
【００１１】
また、本発明の手持ち電動結束機に装着される延長用アタッチメントは、手持ち電動結束機を外側から挟むように保持する結束機保持構造部と、一端に結束機保持構造部が設けられた所定の長さを有する延長構造部と、延長構造部に設けられた追加握り部と、追加握り部を作業者が握った状態で操作できる追加スイッチ操作部を備えた追加スイッチ部と、一端が追加スイッチ部に電気的に接続され他端に外部信号入力端子に接続されるコネクタを備えたケーブルハーネスとを備えている。
【００１２】
そして、延長用アタッチメントを装着したアタッチメント付き電動結束機を用いると、腰をかがめて作業する必要がなくなり、作業者の負担を軽減できる。また、脚立にのって作業をしなければない作業現場の状況において、延長用アタッチメントを装着することにより、作業者にとって楽な姿勢で、または脚立にのることなく作業を行うことが可能になる。
【００１３】
結束機保持構造部は、外部信号入力端子へのコネクタの装着を阻害することなく、手持ち電動工具の握り部の一部と結束機本体部の一部を間に挟むように配置される可撓性を有する一対の板状部と、板状部の一端が固定され且つ延長構造部の一端が連結される固定部と、手動または手動工具により締め付け可能な１以上の締め付け具により構成されて一対の板状部を互いに近づける方向の力を一対の板状部に加える締め付け構造とを備えている。このような構造を採用することにより、一対の板状部の間に電動結束機を挟み、締め付け具を手動または手動工具により締め付けるという簡単な作業だけで、延長用アタッチメントを装着することができる。
【００１４】
また、延長構造部には、所定の長さを手動で調節することを可能にする手動長さ調節機構を備えることが好ましい。こうすることにより、作業者の身長や、作業現場の状況に応じて延長用アタッチメントの長さを容易に調整することができる。
【００１５】
さらに延長構造部には、手動長さ調節機構よりも結束機保持構造部寄りの位置に作業者が片手で握ることができる補助握り部を備えても良い。こうすることにより、延長用アタッチメントを装着したままの状態での、電動結束機の持ち運びが容易になる。また、電動結束機を高い位置に持ち上げた作業も容易になる。
【００１６】
延長構造部はパイプから構成され、ケーブルハーネスの主要部がパイプ内に収納されていることが好ましい。パイプ内に収納することにより、ケーブルハーネスが作業を阻害するのを防ぐことができる。
【００１７】
延長構造部は結束機保持構造部が一端に設けられた第１の分割パイプ部と、第１の分割パイプ部の他端に対してスライド構造を介して結合されて第１の分割パイプ部に沿って位置を変えることができる第２の分割パイプ部とからなり、ケーブルハーネスの主要部が第１の分割パイプ部及び第２の分割パイプ部内に収納されていても良い。このように２つのパイプを並べた構造を採用すると、パイプを直列に繋げた場合よりもパイプの撓みが小さため、強度が増す。
【００１８】
スライド構造は、第１の分割パイプ部を中心にして第２の分割パイプ部を所定の角度範囲内で手動で回すことを許容する機能と、第１の分割パイプ部に対して第２の分割パイプ部を手動で固定する固定機能とを有していることが好ましい。このようにすることにより、延長用アタッチメントの長さを容易に調整できるだけでなく、追加握り部の角度も容易に変更することができる。
【００１９】
第２の分割パイプ部には、作業者が片手で握ることができる補助握り部が、第２の分割パイプ部を中心にして所定の角度範囲内で回動可能に固定されていてもよい。電動結束機を高い位置に持ち上げて作業が容易になるだけでなく、作業者の好みに併せて補助握り部の位置を調整することができる。
【００２０】
補助握り部を設けた補助延長構造部をさらに備え、補助延長構造部の一端が、延長構造部の結束機保持構造部側の一端と連結機構を介して連結され、連結機構は補助延長構造部が延長構造部から離れることを可能にしてもよい。このような構造では、片方の手で追加握り部を握り、もう一方の手で補助握り部を握って、アタッチメント付き電動結束機を使用する。このように使用することにより、両手でバランスよくアタッチメント付き電動結束機を保持することができる。また、延長構造部と補助延長構造部を自由に離したり近づけたりすることができるため、作業時に手持ち電動結束機を様々な角度から見ることができる。そのため、作業時の巻回機構を斜めに見ることもできるため、作業する際に、作業している部分が見易くなる。
【００２１】
追加握り部は、延長構造部に沿ってスライド可能に設けられ、さらに延長構造部を中心にして所定の角度範囲内で回動可能に固定されており、補助握り部は、補助延長構造部に沿ってスライド可能に設けられ、さらに補助延長構造部を中心にして所定の角度範囲内で回動可能に固定されていてもよい。こうすることにより、作業者の体格や、作業のし易さに応じて、追加握り部および補助握り部の位置を容易に調整することができる。
【００２２】
手持ち電動結束機は、スイッチ操作部を囲む操作部ガードを備えており、１以上の締め付け具は、一対の板状部の一方の板状部に設けられた貫通孔を貫通し、操作部ガード内に形成された空間を貫通し、一対の板状部の他方の板状部に設けられた貫通孔を貫通するネジまたはボルトと、他方の板状部を貫通したネジまたはボルトのネジ部に螺合されるナットとから構成されることが好ましい。操作部ガード内の空間にネジまたはボルトを貫通させる構成を採用すると、一対の板状部を手持ち電動結束機に対して位置決めするために、位置決め用の孔や突起などを手持ち電動結束機に特別に設ける必要がない。そのため既存の手持ち電動結束機に対して付加する付加構造を最小にすることができる。また、ネジとナットの螺合が弛んだときでも、操作部ガードとネジとが係合するため、手持ち電動結束機が直ちに延長用アタッチメントから落下することを阻止できる。
【００２３】
また、手持ち電動結束機は、スイッチ操作部を囲む操作部ガードを備えており、一対の板状部の一方の板状部は、延長構造部に固定された第１の分割板状部と第１の分割板状部に対してヒンジ機構を介して連結された第２の分割板状部とから構成され、ヒンジ機構は第２の分割板状部が操作部ガードから離れることを可能にする構成としてもよい。これにより、片方の板状部をヒンジ機構を中心にして動かす動作をするだけで、容易に延長用アタッチメントを着脱することができる。
【００２４】
一対の板状部のそれぞれの先端部は、連結と解除を手動で行うことができる留め具により連結されていることが好ましい。これにより、延長用アタッチメントを、工具を使用せずに着脱させることができる。なお、留め具はスナップ錠であることが好ましい。
【００２５】
結束機保持構造部は、外部信号入力端子へのコネクタの装着を阻害することなく、手持ち電動結束機の握り部の一部と結束機本体部の一部を間に挟むように配置されるアルミニューム製の一対の板状部と、板状部の一端が固定され且つ延長構造部の一端が連結される固定部と、手動または手動工具により締め付け可能な１以上のネジまたは締め付け具により構成されて一対の板状部を互いに近づける方向の力を一対の板状部に加える締め付け構造とを備えており、延長構造部はアルミニューム製のパイプから構成され、ケーブルハーネスの主要部がパイプ内に収納され、且つケーブルハーネスのコネクタが設けられた部分は、コネクタが外部信号入力端子に接続された状態で湾曲する長さを有していることが好ましい。アルミニュームを材料として用いることにより、延長用アタッチメント全体を軽くすることができる。また、接続されたコネクタに無理な力が加わることがなく、コネクタの破損や接触不良の発生を防止できる。
【図面の簡単な説明】
【００２６】
【図１】本実施の形態のアタッチメント付き電動結束機の左側面図である。
【図２】アタッチメントの取り付け状態を示す概略断面図である。
【図３】（Ａ）及び（Ｂ）は、手持ち電動結束機を示す図であり、（Ａ）が右側面図、（Ｂ）が背面図である。
【図４】（Ａ）乃至（Ｃ）は延長用アタッチメントを示す図であり、（Ａ）は正面図、（Ｂ）は左側面図、（Ｃ）は平面図である。
【図５】（Ａ）及び（Ｂ）は延長用アタッチメントを短くした状態を示す図であり、（Ａ）は正面図、（Ｂ）は左側面図である。
【図６】他の実施の形態のアタッチメント付き電動結束機の左側面図である。
【図７】（Ａ）乃至（Ｃ）はアタッチメント付き電動結束機の左側面図であり、（Ａ）は延長用アタッチメントを短くした状態を示す図、（Ｂ）は第１の分割パイプ部を中心にして第２の分割パイプ部を９０°時計回りに回転させた状態を示す図、（Ｃ）は第２の分割パイプ部を中心にして補助握り部を９０°時計回り方向に回転させた状態を示す図である。
【図８】結束機保持構造部を示す図であり、（Ａ）は左側面図、（Ｂ）は右側面図である。
【図９】結束機保持構造部の一対の板状部の一方を折り曲げた状態を示す図である。
【図１０】（Ａ）及び（Ｂ）は、他の実施の形態の延長用アタッチメントを示す図であり、（Ａ）は正面図、（Ｂ）は右側面図である。
【図１１】（Ａ）及び（Ｂ）は、追加握り部と補助握り部をスライドさせた延長用アタッチメントを示す図であり、（Ａ）は正面図、（Ｂ）は右側面図である。
【発明を実施するための形態】
【００２７】
以下、図面を参照して本発明のアタッチメント付き電動結束機の第１の実施の形態について説明する。図１は、本実施の形態のアタッチメント付き電動結束機１の左側面図である。図１において、アタッチメント付き電動結束機１は、延長用アタッチメント３と、手持ち電動結束機５とから構成されている。
【００２８】
本実施の形態では、図３に示す既存の電動結束機を改良した手持ち電動結束機５を用いている。図３は、手持ち電動結束機５を示す図であり、（Ａ）が右側面図、（Ｂ）が背面図である。手持ち電動結束機５は、握り部１１と、スイッチ操作部１３を備えたスイッチ部１５と、スイッチ部１５からの動作信号の入力により動作する図示しない電動駆動部を備えた結束機本体部１０とを備えている。結束機本体部１０は、巻回機構１７と、ワイヤ収納部１９と、ワイヤをワイヤ収納部１９から巻回機構１７に送り込む送り込み装置２１とを備えている。スイッチ操作部１３は、操作部ガード１４で囲まれている。また、握り部１１の結束機本体部１０と反対側の端部には、バッテリ収納部２３が設けられている。また、握り部１１の背面側（巻回機構１７がある方向の反対側）に、スイッチ操作部１３の操作によるスイッチ部１５からの動作信号ではなく外部から入力される動作信号を受信して、電動駆動部に動作信号を与える外部信号入力端子２５を備えている。
【００２９】
次に、本実施の形態で用いられる延長用アタッチメント３について説明する。図４は、延長用アタッチメント３を示す図であり、（Ａ）は正面図、（Ｂ）は左側面図、（Ｃ）は平面図である。手持ち電動結束機５を外側から挟むように保持する結束機保持構造部３１と、一端に結束機保持構造部３１が設けられた所定の長さを有するパイプ部３３と、パイプ部３３の他端に設けられた追加握り部３５と、追加握り部３５を作業者が握った状態で操作できる追加スイッチ操作部３７を備えた追加スイッチ部３９と、一端が追加スイッチ部３９に電気的に接続され他端に外部信号入力端子２５に接続されるコネクタ４１を備えたケーブルハーネス４３とを備えている。
【００３０】
ケーブルハーネス４３の主要部はパイプ部３３内に収納されている。本実施の形態では、パイプ部３３が延長構造部を構成している。パイプ部３３は、結束機保持構造部３１が設けられた第１のパイプ部材４５と、追加握り部３５が設けられた第２のパイプ部材４７とから構成されている。第２のパイプ部材４７の外径は、第１のパイプ部材４５の内径よりやや小さい大きさであり、第２のパイプ部材４７が第１のパイプ部材４５の内側内をスライドすることが可能になっている。そして、この第１のパイプ部材４５と第２のパイプ部材４７とは、延長構造部の長さを所定の長さに手動で調節することを可能にする手動長さ調節機構を両者の連結部に備えている。このようの手動長さ調節機構としては、例えば、複数本のパイプを連結する釣り竿等に使用されている手回しタイプの調節機構を用いることができる。また、第１のパイプ部材４５には、作業者が片手で握ることができる補助握り部４８が設けられている。なお、本実施の形態において、第１のパイプ部材４５と第２のパイプ部材４７はアルミニューム製のパイプを用いている。補助握り部４８は、溶接により第１のパイプ部材４５に対して固定されている。
【００３１】
結束機保持構造部３１は、外部信号入力端子２５へのコネクタ４１の装着を阻害することなく、手持ち電動結束機５の握り部１１の一部と結束機本体部１０の一部を間に挟むように配置されるアルミニューム製の一対の板状部４９，５１と、板状部４９，５１の一端が固定され且つ第１のパイプ部材４５の一端が連結される固定部５３とを備えている。本実施の形態では、一対の板状部４９，５１を互いに近づける方向の力を一対の板状部４９，５１に加える締め付け具として、板状部４９，５１に設けられた貫通孔を貫通する２つのネジ５５，５７と、板状部５１を貫通した２つのネジ５５，５７のそれぞれのネジ部に螺合される２つのナット５９，６１とを用いている。
【００３２】
次に、延長用アタッチメント３の手持ち電動結束機５への装着方法を、図２を用いて説明する。図２は、延長用アタッチメントの取り付け状態を示す概略断面図である。２つのネジ５５，５７と２つのナット５９，６１を外した状態で、一対の板状部４９，５１の間に握り部１１を挟むように第１のパイプ部材４５を握り部１１に近づける。そして、２つのネジ５５，５７と２つのナット５９，６１によって、板状部４９，５１を互いに近づけるように締め付けることによって、握り部１１に延長用アタッチメント３を固定する。この際、図示しない板状部４９，５１の貫通孔の握り部１１に対する位置を調整することにより、ネジ５７は操作部ガード１４内に形成された空間を貫通している。またネジ５５は、操作部ガード１４と握り部１１との間に形成された空間を貫通している。これにより、２つのネジ５５，５７と２つのナット５９，６１の螺合が弛んだときでも、操作部ガード１４とネジ５７または握り部１１または操作部ガード１４の外面とネジ５５とが係合するため、手持ち電動結束機５が直ちに延長用アタッチメント３から落下することを阻止できる。そして、最後に、コネクタ４１を外部信号入力端子２５に接続することによって、延長用アタッチメント３の手持ち電動結束機５への装着が完了する。ケーブルハーネス４３のコネクタ４１が設けられた部分、すなわち、ケーブルハーネスの第１のパイプ部材４５から露出している部分は、コネクタ４１が外部信号入力端子２５に接続された状態で湾曲する十分な長さを有している。そのためこの湾曲によって接続されたコネクタ４１に無理な力が加わることはなく、コネクタ４１の破損や接触不良の発生を防止できる。
【００３３】
次に、本実施の形態のアタッチメント付き電動結束機１及び手持ち電動結束機５の使用方法について説明する。アタッチメント付き電動結束機１は、地面に置かれた鉄筋を結束する作業をする際には、追加握り部３５を作業者が握った状態で巻回機構１７を地面に置かれた鉄筋に近づけ、追加スイッチ操作部３７を操作して電動駆動部を作動させることができる。そのため、腰をかがめた姿勢での作業をする必要がなくなり、作業者の負担を軽減できる。また、脚立にのって作業をしなければない作業現場の状況においては、延長用アタッチメント３を装着することにより、作業者にとって楽な姿勢で、または脚立にのることなく作業を行うことが可能になる。本実施の形態の延長用アタッチメント３には、図示しない手動長さ調節機構が備えられているため、作業者の身長等に合わせて使い易いように、延長用アタッチメント３の長さを調整することができる。具体的には、図５に示すように、第２のパイプ部材４７を第１のパイプ部材４５の内側にスライドさせることによって、延長用アタッチメント３の長さを短くすることができる。また、作業者が片手で握ることができる補助握り部４８を備えているため、延長用アタッチメント３を装着したままの状態でも、アタッチメント付き電動結束機１を容易に持ち運ぶことができる。そして、結束位置に近づいて作業をしなければならないような状況においては、延長用アタッチメント３を外して、手持ち電動結束機５を使用することになるが、上述のような単純な構造であるため、２つのネジ５５，５７と２つのナット５９，６１を外すという簡単な作業だけで、延長用アタッチメント３を外すことができる。手持ち電動結束機５の使用方法は、従来の電動結束機と同様である。
【００３４】
本発明が適用できる手持ち電動結束機５の構造は、外部信号入力端子２５を備えている限り任意である。また外部信号入力端子２５からの入力信号で、電動駆動部を駆動するための回路構成は任意である。最も簡単な回路構成としては、スイッチ部１５の入力端子に並列に追加スイッチ部３９の出力端子を接続する構成を採用することができる。
【００３５】
図６乃至図９は本発明の第２の実施の形態のアタッチメント付き電動結束機１０１を説明するために用いる図である。図１乃至図５の第１の実施の形態の構成と同様の部分には、図１乃至図５に付した符号の数に１００の数を加えた数の符号を付して説明を省略する。
【００３６】
このアタッチメント付き電動結束機１０１が上述した第１の実施の形態のアタッチメント付き電動結束機１と相違するのは、延長用アタッチメント１０３の構成であり、手持ち電動結束機１０５は、第１の実施の形態で用いたものと同様であるので説明を省略する。
【００３７】
図６は、第２の実施の形態のアタッチメント付き電動結束機１０１の左側面図である。手持ち電動結束機１０５を外側から挟むように保持する結束機保持構造部１３１と、一端に結束機保持構造部１３１が設けられた所定の長さを有するパイプ部１３３と、パイプ部１３３の他端に設けられた追加握り部１３５と、追加握り部１３５を作業者が握った状態で操作できる追加スイッチ操作部１３７を備えた追加スイッチ部１３９と、一端が追加スイッチ部１３９に電気的に接続され他端に外部信号入力端子１２５に接続されるコネクタ１４１を備えたケーブルハーネス１４３とを備えている点では、第１の実施の形態と同様である。
【００３８】
本実施の形態では、パイプ部１３３は、第１の分割パイプ部１３３Ａと第２の分割パイプ部１３３Ｂとで構成されている。第１の分割パイプ部１３３Ａは、一端に結束機保持構造部１３１が設けられている。第２の分割パイプ部１３３Ｂには、追加握り部１３５が設けられている。第１の分割パイプ部１３３Ａと第２の分割パイプ部１３３Ｂとは、スライド構造を介して結合されている。本実施の形態では、スライド構造は、２つのパイプ支持具１７１，１７３とから構成されている。パイプ支持具１７１，１７３は、それぞれ第１の分割パイプ部１３３Ａを固定する筒状固定部１７１Ａ，１７３Ａと、それぞれ第２の分割パイプ部１３３Ｂを固定する筒状固定部１７１Ｂ，１７３Ｂとを備えている。筒状固定部１７１Ａと筒状固定部１７１Ｂとの中間には、締め付け部１７１Ｃが備えられている。また、筒状固定部１７３Ａと筒状固定部１７３Ｂとの中間には、締め付け部１７３Ｃとが備えられている。締め付け部１７１Ｃと締め付け部１７３Ｃの締め付けを緩めることにより、第２の分割パイプ部１３３Ｂは、第１の分割パイプ部を中心にした所定の角度範囲内で位置を変更することができ、第１の分割パイプ部１３３Ａに対して上下にスライドすることができる。
【００３９】
図７（Ａ）は、延長用アタッチメント１０３を短くした状態を示す図である。図７（Ａ）では、第２の分割パイプ部１３３Ｂを手持ち電動結束機１０５側に近づけることで、延長用アタッチメント１０３を短くしている。また、パイプ支持具１７１，１７３の位置を第１の分割パイプ部１３３Ａの結束機保持構造部１３１側に移動させている。
【００４０】
図７（Ｂ）は、第１の分割パイプ部１３３Ａを中心にして第２の分割パイプ部１３３Ｂを９０°時計回りに回転させた状態を示す図である。図７（Ｂ）では、パイプ支持具１７１，１７３の位置を回転移動させることにより、第２の分割パイプ部１３３Ｂを回転させている。
【００４１】
また、第２の分割パイプ部１３３Ｂには、作業者が片手で握ることができる補助握り部１４８が設けられている。補助握り部１４８は、第２の分割パイプ部１３３Ｂを中心にして所定の角度範囲内で回動可能に固定されている。補助握り部１４８と第２の分割パイプ部１３３Ｂとは、補助握り部支持具１４８Ａを介して結合されている。補助握り部支持具１４８Ａは、第２の分割パイプ部１３３Ｂを固定する筒状固定部１４８Ｂと締め付け部１４８Ｃとを備えている。補助握り部１４８は、締め付け部１４８Ｃの締め付けを緩めることにより、第２の分割パイプ部１３３Ｂを中心にして所定の角度範囲内で位置を変更することができる。
【００４２】
図７（Ｃ）は、第２の分割パイプ部１３３Ｂを中心にして補助握り部１４８を９０°時計回り方向に回転させた状態を示す図である。図７（Ｃ）では、補助握り部支持具１４８Ａの位置を移動させることにより、補助握り部１４８を回転させている。
【００４３】
なお、本実施の形態において、ケーブルハーネス１４３は、第１の分割パイプ部１３３Ａと第２の分割パイプ部１３３Ｂの両方にわたって収納されている。第１の分割パイプ部１３３Ａと第２の分割パイプ部１３３Ｂとがスライド移動する際に、ケーブルハーネス１４３が邪魔にならないように、第１の分割パイプ部１３３Ａと第２の分割パイプ部１３３Ｂとの間のケーブルハーネス１４３の部分は、十分な長さがパイプ外に延び出ている。
【００４４】
図８に示すように、本実施の形態では、結束機保持構造部１３１が、一対の板状部１４９，１５１を有している。そして一対の板状部１４９，１５１の一方の板状部１４９が、第１の分割パイプ部１３３Ａに固定された第１の分割板状部１４９Ａと第１の分割板状部１４９Ａに対してヒンジ機構１８０を介して連結された第２の分割板状部１４９Ｂとから構成されている。図９に示すように、ヒンジ機構１８０により、第２の分割板状部１４９Ｂが図示しない操作部ガード１１４から離れることができる。一対の板状部１４９，１５１のそれぞれの先端部１４９Ｃ，１５１Ｃは、連結と解除を手動で行うことができる留め具により連結されている。本実施の形態では、留め具が、スナップ錠１８２で構成されている。また、本実施の形態では、スナップ錠１８２が結束機保持構造部１３１の締め付け可能な締め付け具を構成しており、スナップ錠１８２を施錠することによって、結束機保持構造部１３１は、手持ち電動結束機１０５を外側から挟むように保持する。本実施の形態では、スナップ錠１８２の施錠動作及び解錠操作だけで、手持ち電動結束機１０５を外側から挟むように保持することができるのでアタッチメントの取付け及び取り外しが容易になる。
【００４５】
図１０及び図１１は本発明の第３の実施の形態を説明するために用いる図である。第３の実施の形態では、手持ち電動結束機は、第１の実施の形態及び第２の実施の形態と同様のものを用い、結束機保持構造部２３１も第２の実施の形態と同様のものを用いるため、手持ち電動結束機とそれを保持する構造については、説明を省略する。図１０及び図１１に示した第３の実施の形態において、図６乃至図９に示した第２の実施の形態の構成と同様の部分には、図６乃至図９に付した符号の数に１００の数を加えた数の符号を付して説明を省略する。
【００４６】
第３の実施の形態が上述した第１の実施の形態と相違するのは、延長用アタッチメント２０３の構成であり、特に結束機保持構造部２３１以外の部分である。
【００４７】
図１０（Ａ）は、第３の実施の形態の延長用アタッチメント２０３の正面図であり、図１０（Ｂ）は、延長用アタッチメント２０３の右側面図である。結束機保持構造部２３１と、一端に結束機保持構造部２３１が設けられた所定の長さを有するパイプ部２３３と、パイプ部２３３に設けられた追加握り部２３５と、追加握り部２３５を作業者が握った状態で操作できる追加スイッチ操作部２３７を備えた追加スイッチ部２３９と、一端が追加スイッチ部２３９に電気的に接続され他端に外部信号入力端子２２５に接続されるコネクタ２４１を備えたケーブルハーネス２４３とを備えている点では、第２の実施の形態と同様である。
【００４８】
本実施の形態では、補助握り部２９２を設けたパイプ部２９０をさらに備えている。本実施の形態では、パイプ部２３３が延長構造部を構成し、パイプ部２９０が補助延長構造部を構成している。パイプ部２９０の一端は、パイプ部２３３の結束機保持構造部２３１側の一端と連結機構２９４を介して連結されている。連結機構２９４はパイプ部２９０がパイプ部２３３から離れることを可能にしている。すなわち、連結機構２９４を中心として、所定の角度範囲において、パイプ部２９０とパイプ部２３３を自由に離したり近づけたりすることができる。
【００４９】
追加握り部２３５は、パイプ部２３３に沿ってスライド可能に設けられている。さらにパイプ部２３３を中心にして所定の角度範囲内で回動可能に固定されている。追加握り部２３５とパイプ部２３３とは、追加握り部支持具２３５Ａを介して結合されている。追加握り部支持具２３５Ａは、パイプ部２３３に固定する筒状固定部２３５Ｂと締め付け部２３５Ｃとを備えている。追加握り部２３５は、締め付け部２３５Ｃの締め付けを緩めることにより、図１１に示すようにパイプ部２３３に沿ってスライドさせて位置を変更することができ、パイプ部２３３を中心にして所定の角度範囲内で位置を変更することができる。
【００５０】
また、補助握り部２９２は、パイプ部２９０に沿ってスライド可能に設けられている。さらにパイプ部２９０を中心にして所定の角度範囲内で回動可能に固定されている。補助握り部２９２とパイプ部２９０とは、補助握り部支持具２９２Ａを介して結合されている。補助握り部支持具２９２Ａは、パイプ部２９０に固定する筒状固定部２９２Ｂと締め付け部２９２Ｃとを備えている。補助握り部２９２は、締め付け部２９２Ｃの締め付けを緩めることにより、図１１に示すようにパイプ部２９０に沿ってスライドさせて位置を変更することができ、パイプ部２９０を中心にして所定の角度範囲内で位置を変更することができる。
【００５１】
これにより、作業者の体格や、作業のし易さに応じて、追加握り部２３５および補助握り部２９２の位置を容易に調整することができる。
【００５２】
なお、本実施の形態において、追加握り部２３５もパイプ部材で構成されており、ケーブルハーネス２４３は、パイプ部２３３と追加握り部２３５の両方にわたって収納されている。追加握り部２３５がスライド移動する際に、ケーブルハーネス２４３が邪魔にならないように、パイプ部２３３と追加握り部２３５との間のケーブルハーネス２４３の部分は、十分な長さがパイプ外に延び出ている。
【００５３】
また、パイプ部２９０の他端側（パイプ部２３３と連結される側の反対側）には、図示しない肩掛けベルトを連結するためのリング部材２９６が固定されている。
【００５４】
本実施の形態では、作業者は、片方の手で追加握り部２３５を握り、もう一方の手で補助握り部２９２を握って、延長用アタッチメント２０３を用いたアタッチメント付き電動結束機を使用する。このように使用することにより、両手でバランスよくアタッチメント付き電動結束機を保持することができる。また、パイプ部２３３とパイプ部２９０を自由に離したり近づけたりすることができるため、作業時に手持ち電動結束機を様々な角度から見ることができる。そのため、作業時の巻回機構を斜めに見ることもできるため、作業する際に、作業している部分が見易くなる。
【符号の説明】
【００５５】
１  アタッチメント付き電動結束機
３  延長用アタッチメント
５  電動結束機
１０  結束機本体部
１１  握り部
１３  スイッチ操作部
１４  操作部ガード
１５  スイッチ部
１７  巻回装置
１９  ワイヤ収納部
２１  送り込み装置
２３  バッテリ収納部
２５  外部信号入力端子
３１  結束機保持構造部
３３  パイプ部
３５  追加握り部
３７  追加スイッチ操作部
３９  追加スイッチ部
４１  コネクタ
４３  ケーブルハーネス
４５  第１のパイプ部材
４７  第２のパイプ部材
４８  補助握り部
４９，５１  板状部
５３  固定部
５５，５７  ネジ
５９，６１  ナット
【図１】
2017189822.tif 000003
【図２】
2017189822.tif 000004
【図３】
2017189822.tif 000005
【図４】
2017189822.tif 000006
【図５】
2017189822.tif 000007
【図６】
2017189822.tif 000008
【図７】
2017189822.tif 000009
【図８】
2017189822.tif 000010
【図９】
2017189822.tif 000011
【図１０】
2017189822.tif 000012
【図１１】
2017189822.tif 000013